(57)【要約】      （修正有）【課題】ディスク駆動装置の駆動時の騒音をより抑制できる技術を提供する。【解決手段】ディスク駆動装置１の筐体は、ディスク１４が収容されるハウジングと、ハウジングの開口を塞ぐトップカバー１３とを有する。トップカバーは、トップカバー本体１３１と、整流部材１３２とを有する。トップカバー本体は、中心軸９に対して垂直に拡がる板状の部材である。整流部材は、トップカバー本体の下面に固定されている。整流部材は、ディスクの上面の少なくとも一部と軸方向に対向する下面を有する。整流部材を設けることで、ディスクとトップカバーとの間の軸方向の隙間が狭くなり、ディスクの回転時の振れが抑制される。その結果、ディスク駆動装置の駆動時の騒音が抑制される。【選択図】図５
2017037690.tif 000002
【特許請求の範囲】
【請求項１】
上下に延びる中心軸を中心としてディスクを回転させるディスク駆動装置に用いられ、前記ディスクが収容されるハウジングの開口を塞ぐトップカバーであって、
前記中心軸に対して垂直に拡がる板状のトップカバー本体と、
前記トップカバー本体の下面に固定された整流部材と、
を有し、
前記トップカバー本体は、前記ディスクと軸方向に対向し、
前記整流部材は、前記ディスクの上面の少なくとも一部と軸方向に対向する下面を有するトップカバー。
【請求項２】
請求項１に記載のトップカバーであって、
前記整流部材の形状は、前記中心軸を中心とする円弧状であるトップカバー。
【請求項３】
請求項２に記載のトップカバーであって、
前記整流部材の中心角は、１８０°以上であるトップカバー。
【請求項４】
請求項１に記載のトップカバーであって、
前記整流部材の形状は、前記中心軸を中心とする円環状であるトップカバー。
【請求項５】
請求項１から請求項４までのいずれか１項に記載のトップカバーであって、
前記整流部材は、前記下面の周縁の少なくとも一部に、第１傾斜面を有するトップカバー。
【請求項６】
請求項２または請求項３に記載のトップカバーであって、
前記整流部材は、周方向の両端部の少なくとも一方に、第２傾斜面を有するトップカバー。
【請求項７】
請求項１から請求項６までのいずれか１項に記載のトップカバーであって、
前記整流部材と前記ディスクとの軸方向の距離は、径方向内側から径方向外側へ向かうにつれて短くなるトップカバー。
【請求項８】
請求項１から請求項７までのいずれか１項に記載のトップカバーであって、
前記整流部材は、樹脂製であり、前記トップカバーをインサート部品とする射出成形品であるトップカバー。
【請求項９】
請求項１から請求項８までのいずれか１項に記載のトップカバーと、
前記中心軸を中心としてディスクを回転させるスピンドルモータと、
前記ディスクに対して情報の読み出しおよび書き込みの少なくとも一方を行うアクセス部と、
前記スピンドルモータおよび前記アクセス部を支持し、前記トップカバーとともに筐体を構成する前記ハウジングと、
を有するディスク駆動装置。
【請求項１０】
請求項９に記載のディスク駆動装置であって、
前記アクセス部は、前記ディスクに対向するヘッドを有し、
前記整流部材は、平面視において、前記ヘッドの移動範囲外に配置されるディスク駆動装置。
【請求項１１】
請求項１０に記載のディスク駆動装置であって、
前記整流部材の少なくとも一部分と、前記アクセス部の少なくとも一部分とが、径方向または周方向に重なるディスク駆動装置。
【請求項１２】
請求項９から請求項１１までのいずれか１項に記載のディスク駆動装置であって、
前記整流部材の前記下面の少なくとも一部分が、前記ディスクの上面の最外周部と軸方向に対向するディスク駆動装置。
【請求項１３】
請求項９から請求項１２までのいずれか１項に記載のディスク駆動装置であって、
前記ハウジングは、前記ディスクを包囲する円弧状の内壁面を有し、
前記ディスクの外端面および前記整流部材の外端面と、前記内壁面とが、隙間を介して径方向に対向するディスク駆動装置。
【請求項１４】
請求項９から請求項１３までのいずれか１項に記載のディスク駆動装置であって、
前記ディスクの直径をＤ、前記整流部材の前記下面と前記ディスクの上面との軸方向の間隔をΔｇとして、
０．０１≦Δｇ／Ｄ≦０．０３
を満たすディスク駆動装置。
【請求項１５】
請求項１４に記載のディスク駆動装置であって、
Ｄ＝９５ｍｍであり、
０．９５ｍｍ≦Δｇ≦２．８５ｍｍ
を満たすディスク駆動装置。
【請求項１６】
請求項１４に記載のディスク駆動装置であって、
Ｄ＝６４ｍｍであり、
０．６４ｍｍ≦Δｇ≦１．９２ｍｍ
を満たすディスク駆動装置。
【発明の詳細な説明】
【技術分野】
【０００１】
本発明は、トップカバーおよびディスク駆動装置に関する。
【背景技術】
【０００２】
従来、ハードディスクドライブ（以下、単にＨＤＤという）等のディスク駆動装置が知られている。ディスク駆動装置において、高速なデータ処理を行うためには、ディスクの回転速度を上げる必要がある。しかし、ディスクを高速で回転させると、ディスクの回転方向と同一の方向に気流が発生する。そして、この気流が乱れると、ディスクが振動するディスクフラッタと呼ばれる現象が発生する。このディスクフラッタにより、ディスクへの書き込み精度の低下や、騒音発生という問題が生じる。
【０００３】
ディスクフラッタを低減する技術については、例えば、特開２００３−３１７４３５号公報に記載されている。当該公報のディスク駆動装置では、ディスクをモータのハブに固定しているディスククランパの外径を大型化し、このディスククランパとディスクとの間隔を最適に維持した状態で、ディスクと一体回転する構成とすることにより、ディスク付近の気流を整流し、ディスクフラッタを低減している（段落００１０等参照）。
【０００４】
また、ディスク駆動装置の騒音の発生を抑える技術については、例えば、特開２００４−４６９６４号公報に記載されている。当該公報のディスク駆動装置用ケースは、ディスクとキャリッジが収容されるケース本体と、ケース本体の開口を塞ぐトップカバーとを有し、トップカバーに、ディスクと対応する特定領域を中心として周方向の全周にわたって連続するリブを形成している（請求項１参照）。そして、トップカバーの剛性を高めることで、副次的に、回転音を低減している（段落００３３）。
【特許文献１】特開２００３−３１７４３５号公報
【特許文献２】特開２００４−４６９６４号公報
【発明の概要】
【発明が解決しようとする課題】
【０００５】
しかしながら、上記のいずれの文献も、ディスク駆動装置のトップカバーとディスクとの軸方向の間隔と、騒音との関係には着目していない。トップカバーとディスクとの間の軸方向の間隔が大きいと、ディスク駆動装置の駆動時の騒音が、大きくなる傾向がある。当該騒音の一因として考えられるのは、ディスクの回転に伴う振れである。
【０００６】
本発明の目的は、ディスク駆動装置の駆動時の騒音をより抑制できる技術を提供することである。
【課題を解決するための手段】
【０００７】
本願の第１発明は、上下に延びる中心軸を中心としてディスクを回転させるディスク駆動装置に用いられ、前記ディスクが収容されるハウジングの開口を塞ぐトップカバーであって、前記中心軸に対して垂直に拡がる板状のトップカバー本体と、前記トップカバー本体の下面に固定された整流部材と、を有し、前記トップカバー本体は、前記ディスクと軸方向に対向し、前記整流部材は、前記ディスクの上面の少なくとも一部と軸方向に対向する下面を有する。
【発明の効果】
【０００８】
本願の第１発明によれば、ディスクとトップカバーとの間の軸方向の隙間を狭くすることができる。これにより、ディスクの回転時の振れを抑制できる。その結果、ディスク駆動装置の駆動時の騒音を抑制できる。
【図面の簡単な説明】
【０００９】
【図１】図１は、ディスク駆動装置の縦断面図である。
【図２】図２は、トップカバーを取り外したディスク駆動装置の上面図である。
【図３】図３は、トップカバーの下面図である。
【図４】図４は、トップカバーの斜視図である。
【図５】図５は、ディスク駆動装置の部分縦断面図である。
【図６】図６は、整流部材とディスクとの間隔と、プロミネンス・レシオとの関係を示したグラフである。
【図７】図７は、整流部材の平面視における面積と、プロミネンス・レシオの変化量との関係を示したグラフである。
【図８】図８は、変形例に係るトップカバーの下面図である。
【図９】図９は、変形例に係るディスク駆動装置の部分縦断面図である。
【発明を実施するための形態】
【００１０】
以下、本発明の例示的な実施形態について、図面を参照しながら説明する。なお、本願では、スピンドルモータの中心軸と平行な方向を「軸方向」、スピンドルモータの中心軸に直交する方向を「径方向」、スピンドルモータの中心軸を中心とする円弧に沿う方向を「周方向」、とそれぞれ称する。また、本願では、軸方向を上下方向とし、ハウジングに対してトップカバー側を上として、各部の形状および位置関係を説明する。ただし、この上下方向の定義により、本発明に係るトップカバーおよびディスク駆動装置の使用時の向きを限定する意図はない。
【００１１】
＜１．第１実施形態＞
＜１−１．ディスク駆動装置の構成＞
図１は、第１実施形態に係るディスク駆動装置１の縦断面図である。図２は、トップカバー１３を取り外したディスク駆動装置１の上面図である。
【００１２】
このディスク駆動装置１は、中央に円孔を有する円板状の磁気ディスク１４（以下、単に「ディスク１４」という）を回転させ、ディスク１４に対して情報の読み出しおよび書き込みを行う装置である。図１に示すように、ディスク駆動装置１は、スピンドルモータ１１、ハウジング１２、トップカバー１３、ディスク１４、およびアクセス部１５を有する。
【００１３】
スピンドルモータ１１は、ディスク１４を支持しながら、中心軸９を中心としてディスク１４を回転させる。スピンドルモータ１１は、静止部２と回転部３とを有する。静止部２は、ハウジング１２に対して相対的に静止する。回転部３は、静止部２に対して回転可能に支持される。
【００１４】
静止部２は、ベース部２１、ステータ２２、および軸受ユニット２３を有する。ベース部２１は、回転部３およびディスク１４の下側において、中心軸９に対して略垂直に広がる。ベース部２１は、スピンドルモータ１１の一部であるとともに、ハウジング１２の一部でもある。ステータ２２および軸受ユニット２３は、ベース部２１に固定されている。ステータ２２は、磁性体であるステータコア５１と、複数のコイル５２とを有する。ステータコア５１は、径方向外側へ向けて突出する複数のティース５４を有する。複数のコイル５２は、それぞれ、ティース５４に巻かれた導線により構成される。軸受ユニット２３は、回転部３側のシャフト３１を回転可能に支持する。軸受ユニット２３には、例えば、流体動圧軸受機構が用いられる。
【００１５】
回転部３は、シャフト３１、ハブ３２、およびマグネット３３を有する。シャフト３１は、軸方向に延びる柱状の部材である。シャフト３１の下端部は、軸受ユニット２３の内部に収容される。ハブ３２は、シャフト３１の上端部の周縁部から、径方向外側へ向けて拡がる。ハブ３２は、ディスク１４を支持する支持面３２１を有する。マグネット３３は、ステータ２２の径方向外側において、ハブ３２に固定される。マグネット３３は、円環状である。マグネット３３の内周面には、Ｎ極とＳ極とが周方向に交互に着磁されている。
【００１６】
このようなスピンドルモータ１１において、コイル５２に駆動電流が供給されると、複数のティース５４に磁束が生じる。そして、ティース５４とマグネット３３との間の磁束の相互作用により、周方向のトルクが発生する。その結果、静止部２に対して回転部３が、中心軸９を中心として回転する。ハブ３２に支持されたディスク１４は、回転部３とともに、中心軸９を中心として回転する。
【００１７】
ハウジング１２は、上述したベース部２１を含む底部１２１と、壁部１２２とを有する。底部１２１は、中心軸９に対して略垂直に拡がる。スピンドルモータ１１およびアクセス部１５は、底部１２１に支持される。壁部１２２は、底部１２１の外端縁から上方へ向けて、矩形の筒状に延びる。壁部１２２は、その上端に、環状のカバー支持面１２０を有する。トップカバー１３は、当該カバー支持面１２０上に支持され、例えばねじ止めで、ハウジング１２に固定される。ハウジング１２の上部の開口は、トップカバー１３によって塞がれる。スピンドルモータ１１の回転部３、ディスク１４、およびアクセス部１５は、ハウジング１２とトップカバー１３とで構成される筐体の内部に収容される。
【００１８】
アクセス部１５は、アーム１５１と、アーム１５１の先端に設けられたヘッド１５２とを有する。アーム１５１は、底部１２１から軸方向に延びる支柱４３を中心として回動する。これにより、ヘッド１５２が、ディスク１４の記録面に沿って移動する。ヘッド１５２は、ディスク１４の上面および下面に対向し、ディスク１４に対して情報の読み出しおよび書き込みを行う。なお、ヘッド１５２は、ディスク１４に対して情報の読み出しおよび書き込みのいずれか一方のみを行うものであってもよい。また、ディスク駆動装置１は、２枚以上のディスク１４を有するものであってもよい。また、ディスク駆動装置１は、光ディスクを回転させる装置であってもよい。
【００１９】
＜１−２．トップカバーの構成＞
続いて、トップカバー１３の詳細な構成について説明する。図３はトップカバー１３の下面図である。図４はトップカバー１３の斜視図である。図５は、ディスク駆動装置１の部分縦断面図である。
【００２０】
図１および図３〜図５に示すように、トップカバー１３は、トップカバー本体１３１と、整流部材１３２とを有する。トップカバー本体１３１は、中心軸９に対して垂直に拡がる板状の部材である。平面視において、トップカバー本体１３１と、ハウジング１２とは、略同等の大きさを有する。トップカバー本体１２１の周縁部の下面は、ハウジング１２のカバー支持面１２０に接触する。また、ディスク１４の上面と、トップカバー本体１３１の下面とは、軸方向に対向する。
【００２１】
整流部材１３２は、トップカバー本体１３１の下面に固定される板状の部材である。整流部材１３２の材料には、例えば樹脂が用いられる。整流部材１３２は、ディスク１４の上面の少なくとも一部と軸方向に対向する下面を有する。ディスク１４の上面と整流部材１３２の下面との軸方向の間隔は、ディスク１４の上面とトップカバー本体１３１の下面との軸方向の間隔よりも、小さい。
【００２２】
図５中の拡大図のように、整流部材１３２は、トップカバー１３の下面に、接着剤８で固定される。接着剤８には、例えば、熱硬化性を有するエポキシ系の接着剤が用いられる。なお、接着剤８は、嫌気性や紫外線硬化性等を有するものであってもよい。接着剤８を用いれば、他の固定方法よりも容易かつ安価に、トップカバー１３と整流部材１３２とを固定できる。ただし、整流部材１３２は、熱溶着などの他の方法で、トップカバー１３に固定されていてもよい。
【００２３】
また、整流部材１３２は、トップカバー本体１３１をインサート部品とする射出成形（いわゆるインサート成形）により形成されてもよい。インサート成形を用いれば、トップカバー本体１３１の下面に凹凸がある場合でも、整流部材１３２の形状を、当該凹凸に合わせて容易に形成できる。
【００２４】
このように、トップカバー本体１３１の下面に整流部材１３２を設ければ、整流部材１３２が無い場合よりも、ディスク１４とトップカバー１３との間の軸方向の隙間が、狭くなる。このため、ディスク１４とトップカバー１３との間に介在する気体の層において、体積の変化が生じにくくなる。その結果、ディスク１４の回転時の振れ（ディスクフラッタ）が生じにくくなる。ディスク１４の回転時の振れを抑制すれば、ディスク駆動装置１の駆動時の振動および騒音を抑制できる。
【００２５】
図２には、整流部材１３２の位置が、破線で示されている。図２、図３および図４に示すように、本実施形態における整流部材１３２の形状は、中心軸９を中心とする円弧状である。そして、図２のように、整流部材１３２は、平面視においてディスク１４と重なる位置、かつ、アーム１５１およびヘッド１５２の移動範囲の外側に配置される。これにより、アーム１５１およびヘッド１５２と、整流部材１３２とが、互いに干渉することなく配置される。
【００２６】
また、アーム１５１およびヘッド１５２と、整流部材１３２とは、互いに軸方向の位置を制限しない。したがって、アーム１５１およびヘッド１５２と、整流部材１３２とを、同等の高さ位置に配置できる。例えば、アーム１５１およびヘッド１５２の少なくとも一部分と、整流部材１３２の少なくとも一部分とを、径方向および周方向に重なるように配置できる。これにより、整流部材１３２の下面を、ディスク１４の上面に、より接近させることができる。その結果、ディスク１４の回転時の振れを、より抑制できる。
【００２７】
なお、ディスク１４の回転時の振れを抑制するために、整流部材１３２は、アーム１５１およびヘッド１５２と干渉しない範囲で、ディスク１４の上面のなるべく広い範囲を覆っていることが好ましい。したがって、例えば、円弧状の整流部材１３２の中心角を１８０°以上として、整流部材１３２の下面の面積を広くとることが好ましい。
【００２８】
ディスク１４の最外周部は、振れによる軸方向の変位が最も生じやすい。このため、図２および図５のように、整流部材１３２は、その下面の少なくとも一部分が、ディスク１４の上面の最外周部と軸方向に対向していることが好ましい。このようにすれば、ディスク１４の変位が最も生じやすい最外周部において、軸方向の変位を抑制しやすい。したがって、ディスク１４の振れを抑制する効果を得やすい。
【００２９】
また、図３〜図５に示すように、整流部材１３２は、下面の周縁の少なくとも一部に、第１傾斜面１３３を有する。第１傾斜面１３３は、径方向外側に向かうにつれてディスク１４の上面から漸次に離れる。このようにすれば、整流部材１３２の周縁部において、段差が緩やかとなる。したがって、気体の乱流を抑えて、ディスク駆動装置１の駆動時の騒音をより低減できる。また、整流部材１３２を樹脂成型により作製する場合に、成型後の整流部材１３２を金型から容易に離型させることができる。
【００３０】
また、図３および図４に示すように、整流部材１３２は、周方向の両端部に、第２傾斜面１３４を有する。ディスク１４が回転すると、ディスク１４とトップカバー１３との間に、周方向の気流成分が生じる。仮に、当該気流成分が整流部材１３２の垂直な段差面に衝突すると、騒音の原因となり得る。しかしながら、本実施形態のように、整流部材１３２の周方向の両端部に、第２傾斜面１３４を設けておけば、周方向の気流成分は、第２傾斜面１３４に沿って流れる。したがって、整流部材１３２の周方向の両端部付近における気体の乱流を抑えて、ディスク駆動装置１の駆動時の騒音を、より低減できる。
【００３１】
なお、第２傾斜面１３４は、整流部材１３２の周方向の両端部の少なくとも一方に設けられていればよい。その場合、整流部材１３２の周方向の両端部のうち、ディスク１４の回転方向に対向する方向を向く端部に、第２傾斜面１３４を設けるとよい。例えば、ディスク１４が時計回りに回転する場合には、整流部材１３２の反時計回りの先端部に、第２傾斜面１３４を設けるとよい。また、ディスク１４が反時計回りに回転する場合には、整流部材１３２の時計回りの先端部に、第２傾斜面１３４を設けるとよい。
【００３２】
また、図２および図５に示すように、ハウジング１５は、ディスク１４を包囲する円弧状の内壁面１６１を有する。そして、ディスク１４の外端面および整流部材１３２の外端面は、いずれも、内壁面１６１と隙間を介して径方向に対向する。ハウジング１２に対してトップカバー１３を取り付けると、内壁面１６１の内側に、整流部材１３２が配置される。このとき、整流部材１３２と内壁面１６１との間に径方向の隙間を設けていることで、内壁面１６１の内側に、整流部材１３２を容易に配置できる。
【００３３】
上述の通り、このディスク駆動装置１では、整流部材１３２により、ディスク１４とトップカバー１３との間の軸方向の間隔を狭めることで、駆動時の騒音を抑制する。ただし、整流部材１３２とディスク１４との軸方向の間隔が狭すぎると、風損によりディスク１４の回転抵抗が大きくなり、ディスク駆動装置１の消費電力が大きくなる。騒音の低減と消費電力の低減とを両立させるためには、整流部材１３２とディスク１４との軸方向の間隔を、適度な間隔とすることが好ましい。
【００３４】
例えば、図５のように、ディスク１４の直径をＤ、整流部材１３２の下面とディスク１４の上面との軸方向の間隔をΔｇとすると、０．０１≦Δｇ／Ｄ≦０．０３を満たすことが好ましい。例えば、3.5インチ型のＨＤＤであれば、Ｄ＝９５ｍｍなので、０．９５ｍｍ≦Δｇ≦２．８５ｍｍを満たすことが好ましい。また、2.5インチ型のＨＤＤであれば、Ｄ＝６４ｍｍなので、０．６４ｍｍ≦Δｇ≦１．９２ｍｍを満たすことが好ましい。
【００３５】
＜１−３．実施例＞
図６は、ディスク駆動装置１において、上述した整流部材１３２とディスク１４との間隔Δｇと、プロミネンス・レシオ（Prominence Ratio）の値との関係を示したグラフである。図６の横軸は、整流部材１３２の下面とディスク１４の上面との軸方向の間隔Δｇを示している。図６の縦軸は、特定の周波数帯におけるプロミネンス・レシオの値を示している。なお、プロミネンス・レシオとは、作動音の特性を評価する基準の１つとして、可聴音域における顕著な離散周波数音の割合を示すものである。プロミネンス・レシオを低減することにより、作動音の特性を向上することができる。
【００３６】
図６の結果では、概ねΔｇが小さくなるほど、プロミネンス・レシオの値が低下する傾向が確認された。また、プロミネンス・レシオは、間隔Δｇの値が２ｍｍ程度のときに、最も低い値となることが確認された。この結果より、整流部材１３２を用いて上述した間隔Δｇ小さくすれば、プロミネンス・レシオの値が低下し、ディスク駆動装置１の駆動時の騒音を低減できることが分かる。
【００３７】
図７は、ディスク駆動装置１において、整流部材１３２の平面視における面積と、プロミネンス・レシオの変化量との関係を示したグラフである。図７の横軸は、整流部材１３２の平面視における面積を示している。図７の縦軸は、モータの磁気周波数である２３次、２４次および２５次の周波数成分のうち最大のプロミネンス・レシオ値を示す次数成分を用い、整流部材を有さないディスク駆動装置のプロミネンス・レシオ値から、該最大のプロミネンス・レシオ値の値を引いた数値を示している。つまり、整流部材の平面視における面積に対するプロミネンス・レシオ値の低減度合いを示している。なお、図７の例では、整流部材１３２の形状を円弧状とし、その中心角を一定として、整流部材１３２の径方向の寸法を変化させた。また、図７のグラフでは、ディスク駆動装置が整流部材を有していない状態でのプロミネンス・レシオ値をゼロとしている。
【００３８】
図７の結果では、整流部材１３２の面積が大きくなるほど、可聴音域における顕著な離散周波数音の割合を示すプロミネンス・レシオの値が低下する傾向が確認された。この結果より、整流部材１３２の面積が大きくなるほど、ディスク駆動装置１の駆動時の騒音を低減できることが分かる。
【００３９】
＜２．変形例＞
以上、例示的な実施形態について説明したが、本発明は上記の実施形態には限定されない。
【００４０】
図８は、一変形例に係るトップカバー１３Ａの下面図である。図８の例では、整流部材１３２Ａの平面視における形状が、中心軸を中心とする円環状となっている。このようにすれば、円弧状の場合よりも、整流部材１３２Ａの下面の面積を、より広くとることができる。
【００４１】
図９は、他の変形例に係るディスク駆動装置１Ｂの部分縦断面図である。図９の例では、整流部材１３２Ｂの下面の高さが、径方向内側から径方向外側へ向かうにつれて、低くなっている。これにより、整流部材１３２Ｂの下面とディスク１４Ｂの上面との軸方向の距離が、径方向内側から径方向外側へ向かうにつれて短くなっている。このようにすれば、ディスク１４Ｂの外周部付近において、整流部材１３２Ｂの下面とディスク１４Ｂの上面との軸方向の間隔を、特に小さくすることができる。したがって、ディスク１４Ｂの振れによる騒音の発生を効率よく抑えることができる。また、ディスク１４Ｂの内周部付近においては、ディスク１４Ｂと整流部材１３２Ｂとの軸方向の間隔を大きくとって、風損による回転抵抗を低減できる。
【００４２】
また、上記の実施形態では、整流部材に樹脂を用いていた。しかしながら、整流部材の材料に、樹脂以外の材料を用いてもよい。例えば、整流部材は、アルミニウムまたはアルミニウム合金などの金属製であってもよい。金属を用いれば、樹脂を用いる場合よりも、整流部材の剛性を高めることができる。
【００４３】
ディスク駆動装置に含まれるスピンドルモータの構造は、上記の実施形態と相違していてもよい。例えば、静止したシャフトの周りでハブが回転する、いわゆる軸固定型のスピンドルモータであってもよい。
【００４４】
また、各部品の細部の形状については、本願の各図に示された形状と、相違していてもよい。また、上記の実施形態および変形例に登場した各要素を、矛盾が生じない範囲で、適宜に組み合わせてもよい。
【産業上の利用可能性】
【００４５】
本発明は、トップカバーおよびディスク駆動装置に利用できる。
【符号の説明】
【００４６】
１  ディスク駆動装置
２  静止部
３  回転部
８  接着剤
９  中心軸
１１  スピンドルモータ
１２  ハウジング
１３  トップカバー
１４  ディスク
１５  アクセス部
２１  ベース部
２２  ステータ
２３  軸受ユニット
３１  シャフト
３２  ハブ
３３  マグネット
４３  支柱
５１  ステータコア
５２  コイル
５４  ティース
１２０  カバー支持面
１２１  底部
１２２  壁部
１３１  トップカバー本体
１３２  整流部材
１３３  第１傾斜面
１３４  第２傾斜面
１５１  アーム
１５２  ヘッド
１６１  内壁面
３２１  支持面
【図１】
2017037690.tif 000003
【図２】
2017037690.tif 000004
【図３】
2017037690.tif 000005
【図４】
2017037690.tif 000006
【図５】
2017037690.tif 000007
【図６】
2017037690.tif 000008
【図７】
2017037690.tif 000009
【図８】
2017037690.tif 000010
【図９】
2017037690.tif 000011